(57)【特許請求の範囲】
【請求項１】
携帯用腰掛け型便器本体の上面両側に左右交換可能に取付けられる肘掛けであって、肘を支持する前記肘掛け本体部が左右対称的にそれぞれ片側に膨出していることを特徴とする携帯用腰掛け型便器の肘掛け。
【請求項２】
上記肘掛けは高低調節可能に取付けられていることを特徴とする請求項１に記載の携帯用腰掛け型便器の肘掛け。
【発明の詳細な説明】
【０００１】
【発明の属する技術分野】
本発明は主として携帯用の腰掛け型便器に取付けられているの肘掛けに関するものである。
【０００２】
【従来の問題点】
この種の便器には肘掛け付のものが提供されているが、該肘掛けの左右間隔は調節出来ず、使用者の体格に対応することが出来なかった。
【０００３】
【課題を解決するための手段】
本発明は上記従来の課題を解決するための手段として、携帯用腰掛け型便器本体(2) の上面両側に左右交換可能に取付けられる肘掛け(4A,4B) であって、肘を支持する前記肘掛け本体部(18A,18B) が左右対称的にそれぞれ片側に膨出している携帯用腰掛け型便器(1) の肘掛けを提供するものである。
上記肘掛け(4A,4B) は高低調節可能に取付けられていることが好ましい。
【０００４】
【作用】
左右の肘掛け(4A,4B) を膨出側を内側にして取付けると、肘掛け(4A,4B) の内巾が狭くなり、左右交換すると、肘掛け(4A,4B) の膨出側が外側になり、内巾が広くなる。
【０００５】
【発明の実施の形態】
本発明を図１〜図１４に示す一実施例によって説明すれば、携帯用腰掛け型便器(1) は便器本体(2) と、前記便器本体(2) の四隅に設けられている円筒状脚部(3) と、該本体(2) の上面両側に取付けられている肘掛け(4A,4B) と、後側に取付けられる背もたれ(5) とからなる。
【０００６】
〔便器本体(2) 〕
便器本体(2) の上面中央に凹部が設けられ、該凹部開口部(6) からは便容器(7) が懸架され、前記便器本体(2) の上面には該凹部開口部(6) を囲む便座(8) が跳ね上げ可能に取付けられ、その上には便蓋を兼ねる座部(9) が被着され、該座部(9) は図２に示すように使用状態ではリンク(10)を介して前記便器本体(2) の後方へ撤去される。
【０００７】
〔背もたれ(5) 〕
背もたれ(5) は両側枠(11,11) と、該両側枠(11,11) 上端に差渡されるクッション付き背受け部(12)とからなり、図２に示すように各側枠(11,11) の下端からは嵌合ブロック(13,13) が差出され、更に各側枠(11,11) の外側には取付け支柱(14,14) が設けられ、該取付け支柱(14,14) の下部にはフランジ(15,15) が設けられている。また更に各側枠(11,11) の前面中間部には肘掛けを取付け支持するための支持ブラケット(16,16) が差出されている。
上記背もたれ(5) は各側枠(11,11) の嵌合ブロック(13,13) を前記便器本体(2) 上面両側後部の嵌合孔(17,17) に嵌合すると共に、前記取付け支柱(14,14) のフランジ(15,15) よりも下部を、前記便器本体(2) の後側の脚部(3,3) の嵌合孔(17A,17A) に嵌合することによって、前記便器本体(2) に取付けられる。
この場合、図３に示すように前記便器本体(2) の両側の嵌合孔(17,17) の後側に係合孔(172) を設けた係合ブロック(171) を突設し、図４に示すように該係合ブロック(171) を前記背もたれ(5) の両側枠(11,11) の下端尾部(111,111) の底面に設けた貫通孔(112,112) に貫通させ、前記係合ブロック(171) の係合孔(172) に係止棒(173) を貫通させることによって前記背もたれ(5) を前記便器本体(2) に固定する。
【０００８】
〔肘掛け(4A,4B) 〕
肘掛け(4A,4B) は図５に示すようにクッション付き肘掛け本体部(18A,18B) と、該肘掛け本体部(18A,18B) の前端部に垂設される支柱(19)と、後端部に垂設される取付けブラケット(20)とからなり、前記肘掛け本体部(18A,18B) は図６に示すようにそれぞれ一側に膨出されており、左右の肘掛け(4A,4B) の肘掛け本体部(18A,18B) は左右対称形とされている。そして図５および図７に示すように前記支柱(19)の下部には上下二個のキー溝(21A,22A) を有する横孔(21,22) が貫設され、図５および図８に示すように前記取付けブラケット(20)には一個のキー溝(23A) を有する横孔(23)が貫設されている。
【０００９】
〔肘掛け取付け構造〕
前記便器本体(2) の上面両側前部には図７に示すように肘掛け(4A,4B) の取付け凹部(24)が設けられ、該凹部(24)には取付け筒(25)が挿着される。該取付け筒(25)にはキー溝(26A) を有する横孔(26)が貫設され、上端にはフランジ(27,27) が形成され、下部は若干縮径されている。そして前記取付け筒(25)の横孔(26)の周りにはボス(28)が突設され、前記取付け筒(25)を前記便器本体(2) の凹部(24)に挿着する時、図９に示すように、前記取付け筒(25)のボス(28,28) が前記便器本体(2) の凹部(24)の内周に形成されるガイド溝(29,29) にガイドされ、かつ前記取付け筒(25)の回転が固定される。
【００１０】
前記肘掛け(4A,4B) を取付けるには、前記肘掛け(4A,4B) の支柱(19)を前記便器本体(2) の凹部(24)に挿着した取付け筒(25)中に挿着する。そして前記便器本体(2) の側面のピン孔(30)から該支柱(19)の横孔(21,22) のいずれかと、前記取付け筒(25)の横孔(26)とに固定ピン(31)を貫通させる。該固定ピン(31)は根端に頭部(31A) を有し、先端にはキー(31B) が形成され、前記固定ピン(31)を便器本体(2) のピン孔(30)を介して前記取付け筒(25)の横孔(26)と前記支柱(19)の横孔(21)または横孔(22)に貫通させる時は、前記固定ピン(31)のキー(31B) をピン孔(30)、横孔(26)、横孔(21)または横孔(22)の各キー溝(30A,26A,21Aまたは22A)に沿わせる。そして前記固定ピン(31)を各横孔に貫通させた後、図１０または図１１に示すように前記固定ピン(31)を半回転させてキー(31B) を該取付け筒(25)の横孔(26)の周りに係止し、前記固定ピン(31)の抜け止めを行なう。
【００１１】
この際、前記肘掛け(4A,4B) を低い位置におく場合には、図１０に示すように前記肘掛け(4A,4B) の支柱(19)の上側の横孔(21)を選び、肘掛け(4A,4B) を高い位置に置く場合には、図１１に示すように前記肘掛け(4A,4B) の支柱(19)の下側の横孔(22)を選ぶ。なお前記便器本体(2) はピン孔(30)の箇所で段部(32)が形成されている。
【００１２】
前記肘掛け(4A,4B) の後端部の取付けブラケット(20)は、前記背もたれ(5) の両側枠(11,11) の支持ブラケット(16)に外側嵌合され、該取付けブラケット(20)の横孔(23)と、該支持ブラケット(16)の横孔(33)または横孔(34)とに固定ピン(35)を貫通させる。該固定ピン(35)は根端に頭部(35A) を有し、先端にはキー(35B) が形成され、前記固定ピン(35)を前記取付けブラケット(20)の横孔(23)と、前記支持ブラケット(16)の横孔(33)または横孔(34)に貫通させる時は、前記固定ピン(35)のキー(35B) を横孔(23)、横孔(33)または横孔(34)のキー溝(23A) 、キー溝(33A) またはキー溝(34A) に沿わせる。そして該固定ピン(35)を各横孔に貫通させた後、図１２または図１３に示すように前記固定ピン(35)を半回転させてキー(35B) を前記取付けブラケット(20)の横孔(23)の周りに係止し、前記固定ピン(35)の抜け止めを行なう。
【００１３】
この際、前記肘掛け(4A,4B) をそれぞれ低い位置におく場合には、図１２に示すように支持ブラケット(16)の下側の横孔(34)を選び、前記肘掛け(4A,4B) をそれぞれ高い位置に置く場合には、図１３に示すように支持ブラケット(16)の上側の横孔(33)を選ぶ。
このように本発明では前記肘掛け(4A,4B) の位置をそれぞれ高低二段階で調整することが出来る。
【００１４】
前記肘掛け(4A,4B) は上記したように高低二段階で調整可能かつ取外し可能に便器本体(2) に取付けられているが、左右の肘掛け(4A,4B) を交換することにより、図１４イに示す肘掛け(4A,4B) の膨出側を外側にした場合と、ロに示す肘掛け(4A,4B) の膨出側を内側にした場合とを選択することが出来る。
即ち図１４イに示す場合は左右肘掛け(4A,4B) の内巾Ｗ1 が拡大され、体格の大きな人に対応し、図１４ロに示す場合は左右肘掛け(4A,4B) の内巾Ｗ2 （＜Ｗ1 ）が縮小され、体格の小さな人に対応する。
【００１５】
上記実施例以外、図１５イ，ロに示すように肘掛け(41A,41B) の肘掛け本体部(181A,181B) を軸からオフセットして取付けることによって、片方に膨出させてもよい。
【００１６】
なお肘掛け(4A,4B) を取り払った状態では前記便器本体(2) の凹部(24)に蓋(36)をかぶせておく。
【００１７】
【発明の効果】
本発明では携帯用腰掛け型便器の左右肘掛けの内巾を使用者の体形やサイズに応じて簡単に調節することが出来、楽な姿勢で用を足すことが出来る。
【図面の簡単な説明】
図１〜図１２は本発明の一実施例を示すものである。
【図１】斜視図
【図２】分解斜視図
【図３】背もたれ固定機構説明図
【図４】背もたれ固定状態説明図
【図５】肘掛け側面図
【図６】左右肘掛け平面図
【図７】肘掛け支柱取付け説明分解斜視図
【図８】肘掛け後端部取付け説明分解斜視図
【図９】肘掛け支柱取付け説明断面図
【図１０】肘掛け支柱取付け説明側断面図（低位）
【図１１】肘掛け支柱取付け説明側断面図（高位）
【図１２】肘掛け後端部取付け説明断面図（低位）
【図１３】肘掛け後端部取付け説明断面図（高位）
【図１４】  イ：左右肘掛け交換前平面図
ロ：左右肘掛け交換後平面図
【図１５】  イ：他の実施例の左右肘掛け交換前平面図
ロ：他の実施例の左右肘掛け交換後平面図
【符号の説明】
1               携帯用腰掛け型便器
2               便器本体
4A,4B,41A,41B   肘掛け
5               背もたれ
18A,18B,181A,181B   肘掛け本体部
【図１】
0003872663.tif 000002
【図２】
0003872663.tif 000003
【図３】
0003872663.tif 000004
【図４】
0003872663.tif 000005
【図５】
0003872663.tif 000006
【図６】
0003872663.tif 000007
【図７】
0003872663.tif 000008
【図８】
0003872663.tif 000009
【図９】
0003872663.tif 000010
【図１０】
0003872663.tif 000011
【図１１】
0003872663.tif 000012
【図１２】
0003872663.tif 000013
【図１３】
0003872663.tif 000014
【図１４】
0003872663.tif 000015
【図１５】
0003872663.tif 000016